(57)【特許請求の範囲】
【請求項１】
矩形平板状に構成された第１筐体及び第２筐体の一辺同士をヒンジによって回動可能に連結し、前記第１筐体と前記第２筐体の表面同士が対面する０度位置から、前記第１筐体と前記第２筐体の表面が同一方向を向いて互いに平行する１８０度位置を経て、前記第１筐体と前記第２筐体の裏面同士が対面する３６０度位置まで回動可能とした電子機器であって、
前記第１筐体は、少なくとも前記ヒンジが連結される辺以外の３辺の外側面から連続するように裏面方向へと突出したバンパー部材、及び、前記裏面から突出した複数の脚部材のうちの少なくとも一方を備え、
前記第２筐体は、少なくとも前記ヒンジが連結される辺以外の３辺の外側面から連続するように裏面方向へと突出したバンパー部材を備え、
前記３６０度位置では、前記第２筐体のバンパー部材が、前記第１筐体のバンパー部材又は前記第１筐体の裏面に当接することを特徴とする電子機器。
【請求項２】
請求項１記載の電子機器において、
前記第１筐体のバンパー部材は、前記３辺の外側面から連続するように表面方向にも突出することで該外側面を覆うものであり、
前記第２筐体のバンパー部材は、前記３辺の外側面から連続するように表面方向にも突出することで該外側面を覆うものであり、
前記０度位置では、前記第２筐体の表面側のバンパー部材が、前記第１筐体の表面側のバンパー部材又は前記第１筐体の表面に当接することを特徴とする電子機器。
【請求項３】
請求項１又は２記載の電子機器において、
前記第１筐体は、前記バンパー部材及び前記脚部材を備え、
前記第１筐体の裏面側では、前記バンパー部材よりも前記脚部材の高さ寸法が大きく設定されると共に、該脚部材の高さ寸法は、該第１筐体の裏面側のバンパー部材及び前記第２筐体の裏面側のバンパー部材の高さ寸法を合わせた高さ寸法よりも小さく設定されており、
前記３６０度位置では、前記第２筐体のバンパー部材が、前記第１筐体のバンパー部材に当接することを特徴とする電子機器。
【請求項４】
請求項１〜３のいずれか１項に記載の電子機器において、
前記第１筐体及び前記第２筐体の前記ヒンジが連結される辺とは反対側の辺に設けられたバンパー部材は、各筐体の裏面との間の角部が鋭角であることを特徴とする電子機器。
【請求項５】
請求項１〜４のいずれか１項に記載の電子機器において、
前記第１筐体のバンパー部材及び脚部材と前記第２筐体のバンパー部材は、弾性体で形成されていることを特徴とする電子機器。
【請求項６】
請求項１〜５のいずれか１項に記載の電子機器において、
前記第１筐体の表面には、ディスプレイ又はキーボード装置が設けられ、
前記第２筐体の表面には、ディスプレイが設けられていることを特徴とする電子機器。 
【発明の詳細な説明】
【技術分野】
【０００１】
本発明は、２つの筐体をヒンジによって０度位置から３６０度位置まで回動可能に連結した電子機器に関する。
【背景技術】
【０００２】
本出願人は、２つの筐体をヒンジによって開閉可能に連結したノートブック型パーソナルコンピュータ（ノート型ＰＣ）において、落下時の耐衝撃性を向上させるため、ディスプレイ側の筐体の外周に弾性体からなるバンパー部材を設けた構成を提案している（特許文献１参照）。また、ノート型ＰＣの２つの筐体のそれぞれの四隅に、弾性体を設けた構成も知られている（特許文献２参照）。
【０００３】
ところで、近年では、２つの筐体間を１８０度を超えて３６０度まで回動可能としたコンバーチブルタブレット型パーソナルコンピュータ（コンバーチブル型ＰＣ）が提案されている。このコンバーチブル型ＰＣでは、２つの筐体間を９０度前後の角度位置に設定したノート型ＰＣの使用形態の他、２つの筐体を１８０度位置で一枚板状に構成したフラットな使用形態、さらには２つの筐体間を反転させて３６０度位置としたタブレット型パーソナルコンピュータ（タブレット型ＰＣ）の使用形態等に変化させることができ、ユーザの利便性が非常に高いものとなっている。
【先行技術文献】
【特許文献】
【０００４】
【特許文献１】特開２０１３−１５５８７４号公報
【特許文献２】特開２０１２−４８４１１号公報
【発明の概要】
【発明が解決しようとする課題】
【０００５】
ところが、コンバーチブル型ＰＣでは、上記のように２つの筐体間を各角度姿勢とした様々な使用形態に対応しているため、落下時の耐衝撃性向上等への対応以外にも、各種の衝撃や机上等での擦れ、音に対する対応が必要となる。例えば、フラットな使用形態では、ディスプレイ側の筐体の裏面も机上に当接するためその擦れや滑り、がたつきを防止できることが望ましく、また、例えばタブレット型ＰＣの使用形態ではその変化時の両筐体間の衝突音の発生や使用時のがたつきやこれによる騒音の発生を抑制できることが望ましい。
【０００６】
この点、上記従来技術では、コンバーチブル型ＰＣへの対応が想定されていないため、上記のようなコンバーチブル型ＰＣ特有の問題に対処することができない。
【０００７】
本発明は、上記従来技術の課題を考慮してなされたものであり、２つの筐体間を０度位置から３６０度位置まで回動可能な構成であっても、姿勢変化時の音漏れを抑制でき、使用時のがたつきや騒音の発生も抑制することができる電子機器を提供することを目的とする。
【課題を解決するための手段】
【０００８】
本発明に係る電子機器は、矩形平板状に構成された第１筐体及び第２筐体の一辺同士をヒンジによって回動可能に連結し、前記第１筐体と前記第２筐体の表面同士が対面する０度位置から、前記第１筐体と前記第２筐体の表面が同一方向を向いて互いに平行する１８０度位置を経て、前記第１筐体と前記第２筐体の裏面同士が対面する３６０度位置まで回動可能とした電子機器であって、前記第１筐体は、少なくとも前記ヒンジが連結される辺以外の３辺の外側面から連続するように裏面方向へと突出したバンパー部材、及び、前記裏面から突出した複数の脚部材のうちの少なくとも一方を備え、前記第２筐体は、少なくとも前記ヒンジが連結される辺以外の３辺の外側面から連続するように裏面方向へと突出したバンパー部材を備え、前記３６０度位置では、前記第２筐体のバンパー部材が、前記第１筐体のバンパー部材又は前記第１筐体の裏面に当接することを特徴とする。
【０００９】
このような構成によれば、当該電子機器を３６０度位置にした際、第１筐体と第２筐体との間の隙間が、少なくとも３辺に亘って設けられたバンパー部材の裏面方向に突出した部分（突出部）によって閉塞される。その結果、３６０度位置に変化させた際の両筐体間の衝突音等が隙間を塞いだバンパー部材によって吸収され、外部への音漏れが抑制される。しかも、２つの筐体間がバンパー部材を介して当接した状態となるため、３６０度位置での使用時や持ち運び時等のがたつきや騒音の発生が抑制される。
【００１０】
前記第１筐体のバンパー部材は、前記３辺の外側面から連続するように表面方向にも突出することで該外側面を覆うものであり、前記第２筐体のバンパー部材は、前記３辺の外側面から連続するように表面方向にも突出することで該外側面を覆うものであり、前記０度位置では、前記第２筐体の表面側のバンパー部材が、前記第１筐体の表面側のバンパー部材又は前記第１筐体の表面に当接する構成としてもよい。これにより、当該電子機器を０度位置にした際の両筐体間の衝突音等もバンパー部材によって吸収され、外部への音漏れが抑制されると共に、０度位置でのがたつきの発生が抑制される。
【００１１】
前記第１筐体は、前記バンパー部材及び前記脚部材を備え、前記第１筐体の裏面側では、前記バンパー部材よりも前記脚部材の高さ寸法が大きく設定されると共に、該脚部材の高さ寸法は、該第１筐体の裏面側のバンパー部材及び前記第２筐体の裏面側のバンパー部材の高さ寸法を合わせた高さ寸法よりも小さく設定されており、前記３６０度位置では、前記第２筐体のバンパー部材が、前記第１筐体のバンパー部材に当接する構成としてもよい。これにより、本体筐体の裏面を机上に載置させる際には脚部材が机上に着地するため安定する。しかも、３６０度位置とする際に脚部材が両筐体間にバンパー部材によって形成される隙間に収納されるため、脚部材が３６０度位置への回動を邪魔することがない。
【００１２】
前記第１筐体及び前記第２筐体の前記ヒンジが連結される辺とは反対側の辺に設けられたバンパー部材は、各筐体の裏面との間の角部が鋭角であってもよい。そうすると、２つの筐体を３００度程度の回動位置にして三角形状に立脚させた姿勢（テントモード）で各筐体のバンパー部材の鋭角な角部が机上に当接するため、この姿勢での安定性が向上する。
【００１３】
前記第１筐体のバンパー部材及び脚部材と前記第２筐体のバンパー部材は、弾性体で形成されていると、耐衝撃性や音漏れ防止の点で有利である。
【００１４】
前記第１筐体の表面には、ディスプレイ又はキーボード装置が設けられ、前記第２筐体の表面には、ディスプレイが設けられていると、これらディスプレイやキーボード装置を各角度位置で有効に機能させて使用することができる。
【発明の効果】
【００１５】
本発明によれば、当該電子機器を３６０度位置にした際の両筐体間の衝突音等が隙間を塞いだバンパー部材によって吸収され、外部への音漏れが抑制される。しかも、２つの筐体間がバンパー部材を介して当接した状態となるため、３６０度位置での使用時や持ち運び時等のがたつきや騒音の発生が抑制される。
【図面の簡単な説明】
【００１６】
【図１】図１は、本発明の一実施形態に係る電子機器の斜視図である。
【図２】図２は、図１に示す電子機器のディスプレイ筐体を本体筐体に対して閉じて０度位置とした収納形態での側面図である。
【図３】図３は、図２に示す状態からディスプレイ筐体を開き方向に回動させて１８０度位置としたフラットモードでの側面図である。
【図４】図４は、図３に示す状態からディスプレイ筐体を開き方向に回動させて３００度位置としたテントモードでの側面図である。
【図５】図５は、図４に示す状態からディスプレイ筐体を開き方向に回動させて３６０度位置としたタブレットモードでの側面図である。
【図６】図６は、図１に示す電子機器を１８０度位置にした状態での平面図である。
【図７】図７は、図６に示す電子機器の底面図である。
【図８】図８は、電子機器の０度位置でのヒンジ付近の角部を拡大した背面斜視図である。
【図９】図９は、図８中のディスプレイ筐体の角部付近をさらに拡大した背面斜視図である。
【図１０】図１０は、図２中のＸ−Ｘ線に沿う一部拡大断面図である。
【図１１】図１１は、図５中のＸＩ−ＸＩ線に沿う一部拡大断面図である。
【図１２】図１２は、図２中の破線で囲ったＸＩＩ部分の側面断面図である。
【図１３】図１３は、図５中の破線で囲ったＸＩＩＩ部分の側面断面図である。
【図１４】図１４は、本体筐体側のバンパー部材を省略した構成の０度位置での左側端部の断面構造を示す正面断面図である。
【図１５】図１５は、図１４に示す構成の３６０度位置での左側端部の断面構造を示す正面断面図である。
【発明を実施するための形態】
【００１７】
以下、本発明に係る電子機器について好適な実施の形態を挙げ、添付の図面を参照しながら詳細に説明する。
【００１８】
図１は、本発明の一実施形態に係る電子機器１０の斜視図であり、ヒンジ１２によってディスプレイ筐体（第２筐体）１４を本体筐体（第１筐体）１６から開いて略直交させたノート型ＰＣでの使用形態を示している。図２〜図５は、図１に示す電子機器１０のディスプレイ筐体１４を本体筐体１６に対して回動させて所定の角度位置とし、収納形態や各種使用形態とした状態での側面図である。
【００１９】
電子機器１０は、ディスプレイ筐体１４を本体筐体１６に対して９０度前後の角度位置に回動させた状態ではノート型ＰＣ（ノートモード）として好適に使用でき（図１参照）、ディスプレイ筐体１４を本体筐体１６に対して閉じた収納形態（図２参照）から３６０度回動させて反転させた状態ではタブレット型ＰＣ（タブレットモード）として好適に使用できる（図５参照）、いわゆるコンバーチブル型ＰＣである。さらに、電子機器１０は、ディスプレイ筐体１４を本体筐体１６から１８０度回動させて両者をフラットにした使用形態（フラットモード。図３参照）や、ディスプレイ筐体１４を本体筐体１６から３００度前後まで回動させてテントのような三角形状に立脚させた使用形態（テントモード。図４参照）等でも使用できる。本発明は、このようなコンバーチブル型ＰＣ以外、例えば、携帯電話、スマートフォン、電子手帳又は電子書籍等の各種電子機器に好適に適用できる。
【００２０】
以下、図２に示す収納形態を基準とし、ディスプレイ筐体１４及び本体筐体１６のヒンジ１２で連結された一端部である連結端部１４ａ，１６ａ側を後側（後方）、その反対側の他端部である開放端部１４ｂ，１６ｂ側を前側（前方）と呼び、各筐体１４，１６の厚み方向を上下方向、幅方向（連結端部１４ａ等の長手方向）を左右方向と呼んで説明する。
【００２１】
また、説明の便宜上、ヒンジ１２による本体筐体１６とディスプレイ筐体１４の角度位置について、ディスプレイ筐体１４を本体筐体１６に対して完全に閉じた状態とし、ディスプレイ筐体１４の表面（内面）１４ｅと本体筐体１６の表面（内面）１６ｅとが対面した姿勢を０度位置（図２参照）と呼び、この０度位置を基準として、ディスプレイ筐体１４を回動させながら開く方向で角度を刻みながら説明する。すなわち、ディスプレイ筐体１４と本体筐体１６とが略直交した姿勢を９０度位置（図１参照）と呼び、ディスプレイ筐体１４の表面１４ｅと本体筐体１６の表面１６ｅが同一方向（上方）を向いて互いに平行した姿勢を１８０度位置（図３参照）と呼ぶ。さらに、ディスプレイ筐体１４が本体筐体１６の裏面（外面）１６ｆ側で直交位置よりもさらに開き方向に進んだ姿勢を３００度位置（図４参照）と呼び、ディスプレイ筐体１４の裏面（外面）１４ｆと本体筐体１６の裏面１６ｆとが対面した姿勢を３６０度位置（図５参照）と呼ぶ。なお、０度位置、９０度位置、１８０度位置、３００度位置及び３６０度位置等の表記については、本体筐体１６、ディスプレイ筐体１４又はヒンジ１２の構造により、角度数字の示す正確な角度位置から多少ずれた角度位置となることも当然生じるものであり、これらのずれた角度位置も含めて、本実施形態では０度位置等と呼んで説明している。
【００２２】
図１〜図５に示すように、電子機器１０は、ディスプレイ１８を有する本体筐体（第１筐体）１６の後側の連結端部１６ａと、ディスプレイ２０を有するディスプレイ筐体（第２筐体）１４の後側の連結端部１４ａとを、左右一対のヒンジ１２，１２によって回動可能に連結したものである。
【００２３】
本体筐体１６は、矩形平板状に構成された扁平な箱体である。本体筐体１６の表面１６ｅには、ディスプレイ１８が設けられている。ディスプレイ１８は、例えばタッチパネル式の液晶表示装置によって構成されており、ソフトウェアキーボードとして機能させることもできる。本体筐体１６の内部には、図示しない基板、演算装置及びメモリ等の各種電子部品が設けられている。ディスプレイ１８に代えて又はディスプレイ１８と共に本体筐体１６の表面１６ｅにキーボード装置やタッチパッド等の物理的な入力手段を設けてもよい。
【００２４】
ディスプレイ筐体１４は、矩形平板状に構成され、本体筐体１６よりも薄い扁平な箱体であり、ヒンジ１２を通過した図示しないケーブルにより本体筐体１６と電気的に接続されている。ディスプレイ筐体１４の表面１４ｅには、本体筐体１６のディスプレイ１８と同様なディスプレイ２０が設けられている。
【００２５】
ヒンジ１２は、ディスプレイ筐体１４と本体筐体１６との間を０度位置から３６０度位置まで回動可能に連結可能な構成であればよく、例えばディスプレイ筐体１４側の軸と、本体筐体１６側の軸との２軸を有した２軸構造で構成される。
【００２６】
図６は、図１に示す電子機器１０を１８０度位置にした状態での平面図であり、図７は、図６に示す電子機器１０の底面図である。図８は、電子機器１０の０度位置でのヒンジ１２付近の角部を拡大した背面斜視図であり、図９は、図８中のディスプレイ筐体１４の角部付近をさらに拡大した背面斜視図である。また、図１０は、図２中のＸ−Ｘ線に沿う一部拡大断面図であり、図１１は、図５中のＸＩ−ＸＩ線に沿う一部拡大断面図であり、図１２は、図２中の破線で囲ったＸＩＩ部分の側面断面図であり、図１３は、図５中の破線で囲ったＸＩＩＩ部分の側面断面図である。すなわち、図１０は０度位置での左側端部１４ｃの正面断面構造を示し、図１１は３６０度位置での左側端部１４ｃの正面断面構造を示し、図１２は０度位置での開放端部１４ｂの側面断面構造を示し、図１３は３６０度位置での開放端部１４ｂの側面断面構造を示している。
【００２７】
図６〜図９に示すように、ディスプレイ筐体１４のヒンジ１２が設けられた連結端部（後辺）１４ａ以外の３辺である開放端部（前辺）１４ｂ、左側端部（左側辺）１４ｃ及び右側端部（右側辺）１４ｄには、バンパー部材２２が設けられている。
【００２８】
バンパー部材２２は、衝撃や音を吸収可能なゴム材料等の弾性体をディスプレイ筐体１４を構成する樹脂と二色成形することで該ディスプレイ筐体１４と一体に形成されている。バンパー部材２２は、ディスプレイ筐体１４の左側端部１４ｃ、開放端部１４ｂ及び右側端部１４ｄに亘って連続しており、各端部１４ｂ〜１４ｄの外側面１５（図１０〜図１３参照）から表面方向（表面１４ｅと直交し該表面１４ｅから離間する方向）及び裏面方向（裏面１４ｆと直交し該裏面１４ｆから離間する方向）に突出した突出部２２ａ，２２ｂを有する。突出部２２ａの表面１４ｅからの突出量（高さ寸法ｈ１）及び突出部２２ｂの裏面１４ｆからの突出量（高さ寸法ｈ２）は、いずれも０．２〜０．３ｍｍ程度に設定されている。
【００２９】
このように、バンパー部材２２は、ディスプレイ筐体１４の連結端部１４ａ以外の３辺の外側面１５を連続して覆うと共に、その表面１４ｅ及び裏面１４ｆから突出した突出部２２ａ，２２ｂを有する構造とされている。
【００３０】
図６〜図８に示すように、本体筐体１６についても、ヒンジ１２が設けられた連結端部（後辺）１６ａ以外の３辺である開放端部（前辺）１６ｂ、左側端部（左側辺）１６ｃ及び右側端部（右側辺）１６ｄには、バンパー部材２４が設けられている。
【００３１】
バンパー部材２４は、バンパー部材２２と同様、衝撃や音を吸収可能なゴム材料等の弾性体を本体筐体１６を構成する樹脂と二色成形することで該本体筐体１６と一体に形成されている。バンパー部材２４は、本体筐体１６の左側端部１６ｃ、開放端部１６ｂ及び右側端部１６ｄに亘って連続しており、各端部１６ｂ〜１６ｄの外側面１７（図１０〜図１３参照）から表面方向（表面１６ｅと直交し該表面１６ｅから離間する方向）及び裏面方向（裏面１６ｆと直交し該裏面１６ｆから離間する方向）に突出した突出部２４ａ，２４ｂを有する。突出部２４ａの表面１６ｅからの突出量（高さ寸法ｈ３）及び突出部２４ｂの裏面１６ｆからの突出量（高さ寸法ｈ４）は、いずれも例えば０．２〜０．３ｍｍ程度に設定されている。このバンパー部材２４の高さ寸法ｈ３，ｈ４は、バンパー部材２２の高さ寸法ｈ１，ｈ２とそれぞれ同一であり、本実施形態の場合、全ての高さ寸法ｈ１〜ｈ４を同一高さに設定している。
【００３２】
本体筐体１６側のバンパー部材２４は、連結端部１６ａの外側面１７の表面１６ｅ側略半分と外側面１７に沿った表面１６ｅ上にも左右方向に亘って帯状に設けられている（図６及び図８参照）。但し、連結端部１６ａは、ヒンジ１２による回動動作時にディスプレイ筐体１４側の連結端部１４ａと干渉しない必要がある。このため、この部分に設けられたバンパー部材２４は、他の３辺のバンパー部材２４と連続してはいるものの、表面１６ｅ上に沿って配設され、突出部は有していない。
【００３３】
このように、バンパー部材２４は、本体筐体１６の連結端部１６ａ以外の３辺の外側面１７を連続して覆うと共に、その表面１６ｅ及び裏面１６ｆから突出した突出部２４ａ，２４ｂを有する構造とされている。また、バンパー部材２４は、他の３辺のものと連続して形成され、連結端部１６ａの一部を覆う部分を有する構造とされている。なお、バンパー部材２４は、連結端部１６ａには設けず、バンパー部材２２と同様に３辺にのみ設けてもよい。また、バンパー部材２２についても、バンパー部材２４と同様に連結端部１４ａの一部を覆う部分を設けてもよい。さらに、ヒンジ１２や連結端部１４ａ，１６ａの構造等によっては、連結端部１６ａの部分にも突出部２２ａ，２２ｂ，２４ａ，２４ｂを持ったバンパー部材２２，２４を設けることもできる。
【００３４】
この際、本実施形態に係る電子機器１０では、ディスプレイ筐体１４と本体筐体１６を同一の外形形状で設定している。このため、両筐体１４，１６のバンパー部材２２，２４は、０度位置及び３６０度位置でその突出部２２ａ，２４ａ同士及び突出部２２ｂ，２４ｂ同士が互いに当接する構造となっている（図１０〜図１３参照）。すなわち、当該電子機器１０では、両筐体１４，１６におけるヒンジ１２側の後辺を除く少なくとも３辺の端部同士が、０度位置及び３６０度位置で一致するように構成されているため、バンパー部材２２，２４間を確実に当接させることができ、外観品質も高い。
【００３５】
また、本実施形態の場合、図２及び図１２に示すように、ディスプレイ筐体１４の開放端部１４ｂでは、裏面１４ｆとの間の角部Ａが鋭角に設定されている。同様に、本体筐体１６の開放端部１６ｂについても、裏面１６ｆとの間の角部Ｂが鋭角に設定されている。つまり、これら開放端部１４ｂ，１６ｂに設けられたバンパー部材２２，２４は、裏面１４ｆ，１６ｆとの間の角部が鋭角となる楔形状に構成されている。
【００３６】
さらに、本体筐体１６の裏面１６ｆには、その四隅付近にそれぞれ脚部材２６が取り付けられている（図７参照）。脚部材２６は、０度位置の収納姿勢で当該電子機器１０を机上に置いたり、９０度位置のノートモードで当該電子機器１０を机上に設置したりする際に机上に着地するゴム脚（緩衝部材）である。
【００３７】
図１０及び図１１に明示されているように、脚部材２６は、バンパー部材２２，２４の突出部２２ｂ，２４ｂの突出量（高さ寸法ｈ２，ｈ４）よりも大きな高さ寸法を有すると共に、バンパー部材２２，２４の突出部２２ｂ，２４ｂの突出量を合わせた値（高さ寸法ｈ２と高さ寸法ｈ４を足した値）よりも小さな高さ寸法を有する。例えば、突出部２２ｂ，２４ｂの高さ寸法ｈ２，ｈ４が０．３ｍｍの場合、脚部材２６の高さ寸法は０．５ｍｍ程度に設定される。これにより、脚部材２６は、０度位置や９０度位置ではバンパー部材２４の突出部２４ｂよりも突出し、机上に着地するゴム脚として機能する（図１０及び図１２参照）。さらに、脚部材２６は、３６０度位置では互いに当接するバンパー部材２２，２４の突出部２２ｂ，２４ｂによって形成されるディスプレイ筐体１４の裏面１４ｆと本体筐体１６の裏面１６ｆとの間の隙間に収納配置され、３６０度位置への回動を邪魔することがない（図１１及び図１３参照）。また、本体筐体１６のバンパー部材２４の突出部２４ｂを脚部材２６の代わりに利用することで、脚部材２６を省略することもできる。
【００３８】
次に、このようなバンパー部材２２，２４を有するディスプレイ筐体１４と本体筐体１６の回動動作について説明する。
【００３９】
先ず、例えば図１に示す９０度位置のノートモードとした場合には、本体筐体１６の裏面１６ｆに設けたゴム製の脚部材２６が机上に着地する。このため、ノートモードとしての使用時に、当該電子機器１０が机上で滑りや位置ずれを生じることが防止され、安定した使用が可能である。
【００４０】
次に、例えば図１に示す９０度位置からディスプレイ筐体１４を閉じ方向に回動させ、図２に示す０度位置の収納形態とした場合には、ディスプレイ筐体１４の３辺に設けたバンパー部材２２と本体筐体１６の３辺に設けたバンパー部材２４とが当接する。すなわち、図１０及び図１２に示すように、両筐体１４，１６の左側端部１４ｃ，１６ｃ及び右側端部１４ｄ，１６ｄにそれぞれ設けられたバンパー部材２２，２４の突出部２２ａ，２４ａが互いに当接し、両筐体１４，１６の開放端部１４ｂ，１６ｂにそれぞれ設けられたバンパー部材２２，２４の突出部２２ａ，２４ａが互いに当接する。
【００４１】
これにより、０度位置において、電子機器１０はバンパー部材２２，２４間の当接により、ディスプレイ筐体１４と本体筐体１６との間の隙間が、前辺、右側辺及び左側辺の３辺の外周縁部に亘って閉塞される。その結果、ディスプレイ筐体１４を本体筐体１６に対して０度位置に閉じた際の両筐体１４，１６の衝突音等が隙間を塞いだバンパー部材２２，２４によって吸収され、外部への音漏れが抑制される。しかも、ディスプレイ筐体１４と本体筐体１６とはヒンジ１２部分を除くと、バンパー部材２２，２４のみで当接しているため、収納姿勢での持ち運び時等のがたつきの発生が抑制される。さらに、収納形態にある電子機器１０の上下の外面（裏面１４ｆ，１６ｆ）の３辺からは、バンパー部材２２，２４の突出部２２ｂ，２４ｂが突出している（図１０及び図１２参照）。このため、収納形態で机上に載置した際の安定性が高く、また、机上に落下させた際等の耐衝撃性が確保されると共に衝撃音の発生も抑制できる。
【００４２】
次に、ディスプレイ筐体１４を開き方向に回動させ、図５に示す３６０度位置のタブレットモードとした場合にも、ディスプレイ筐体１４の３辺に設けたバンパー部材２２と本体筐体１６の３辺に設けたバンパー部材２４とが当接する。すなわち、図１１及び図１３に示すように、両筐体１４，１６の左側端部１４ｃ，１６ｃ及び右側端部１４ｄ，１６ｄにそれぞれ設けられたバンパー部材２２，２４の突出部２２ｂ，２４ｂが互いに当接し、両筐体１４，１６の開放端部１４ｂ，１６ｂにそれぞれ設けられたバンパー部材２２，２４の突出部２２ｂ，２４ｂが互いに当接する。
【００４３】
これにより、３６０度位置においても、電子機器１０はバンパー部材２２，２４間の当接により、ディスプレイ筐体１４と本体筐体１６との間の隙間が、前辺、右側辺及び左側辺の３辺の外周縁部に亘って閉塞される。その結果、ディスプレイ筐体１４を本体筐体１６に対して３６０度位置に変化させた際の両筐体１４，１６間の衝突音等が隙間を塞いだバンパー部材２２，２４によって吸収され、外部への音漏れが抑制される。しかも、ディスプレイ筐体１４と本体筐体１６とはヒンジ１２部分を除くと、バンパー部材２２，２４のみで当接しているため、タブレットモードでの使用時や持ち運び時等のがたつきや騒音の発生が抑制される。さらに、タブレットモードにある電子機器１０の上下の外面（表面１４ｅ，１６ｅ）の３辺からは、バンパー部材２２，２４の突出部２２ａ，２４ａが突出している（図１１及び図１３参照）。このため、タブレットモードで机上に載置した際の安定性が高く、また、机上に落下させた際等の耐衝撃性が確保されると共に衝撃音の発生も抑制できる。
【００４４】
次に、電子機器１０では、ディスプレイ筐体１４を開き方向に回動させ、図３に示す１８０度位置のフラットモードとした場合には、本体筐体１６の裏面１６ｆが脚部材２６を介して机上に着地し、ディスプレイ筐体１４の裏面１４ｆは３辺に設けたバンパー部材２２の突出部２２ｂを介して机上に着地する。これにより、本体筐体１６の裏面１６ｆ及びディスプレイ筐体１４の裏面１４ｆの樹脂部材の塗装部分が直接的に机上に着地することが回避される。その結果、机上での電子機器１０の滑りや位置ずれが防止されて、安定した使用が可能となり、また滑り等によって裏面１４ｆ，１６ｆが机上で擦れ、塗装部分に剥離や傷付きを生じることが防止される。
【００４５】
次に、電子機器１０では、ディスプレイ筐体１４を開き方向に回動させ、図４に示す３００度程度の角度位置のテントモードとした場合には、ディスプレイ筐体１４及び本体筐体１６の開放端部１４ｂ，１６ｂがそれぞれ机上に着地する。この際、各開放端部１４ｂ，１６ｂはバンパー部材２２，２４で覆われており、机上にはゴム製のバンパー部材２２，２４が当接するため、安定性が高い。しかも、上記したように、各開放端部１４ｂ，１６ｂの裏面１４ｆ，１６ｆ側の角部Ａ，Ｂが鋭角に設定されているため、図４に示すようにこの角部Ａ，Ｂが側面視２点で確実に机上に当接し、より高い安定性が確保される。
【００４６】
なお、上記のように、ディスプレイ筐体１４及び本体筐体１６の両方にバンパー部材２２，２４を設ける構成以外にも、例えば図１４及び図１５に示すように、本体筐体１６側のバンパー部材２４を省略した構成としてもよい。
【００４７】
図１４及び図１５に示すように、この構成では、バンパー部材２２を含むディスプレイ筐体１４の外形形状と、バンパー部材２４が省略された本体筐体１６の外形形状とが同一に設定されている。このため、ディスプレイ筐体１４側のバンパー部材２２は、０度位置でその突出部２２ａが本体筐体１６の表面１６ｅに当接し、３６０度位置でその突出部２２ｂが本体筐体１６の裏面１６ｆに当接することで、上記した衝撃音やがたつき等の発生を抑制できる。但し、この構成の場合、図１５に示す３６０度位置で脚部材２６が干渉し、３６０度位置への回動を邪魔することを防止する必要がある。そこで、図１４及び図１５に示すようにバンパー部材２２の突出部２２ｂの突出量（高さ寸法）が脚部材２６の高さ寸法よりも大きく設定される必要がある。
【００４８】
以上のように、本実施形態に係る電子機器１０は、ヒンジ１２によってディスプレイ筐体１４を本体筐体１６に対して０度位置から１８０度位置を経て３６０度位置まで回動可能とした構成において、本体筐体１６は、少なくともヒンジ１２が連結される辺以外の３辺の外側面１７から連続するように裏面方向へと突出したバンパー部材２４、及び、裏面１６ｆから突出した複数の脚部材２６のうちの少なくとも一方を備え、ディスプレイ筐体１４は、少なくともヒンジ１２が連結される辺以外の３辺の外側面１５から連続するように裏面方向へと突出したバンパー部材２２を備える。そして、３６０度位置では、ディスプレイ筐体１４のバンパー部材２２が、本体筐体１６のバンパー部材２４又は本体筐体１６の裏面１６ｆに当接する。
【００４９】
従って、電子機器１０を３６０度位置にした際、ディスプレイ筐体１４と本体筐体１６との間の隙間が、少なくとも前辺、右側辺及び左側辺の３辺の外周縁部に亘って設けられたバンパー部材２２（及び２４）の突出部２２ｂ（及び２４ｂ）によって閉塞される。その結果、ディスプレイ筐体１４を本体筐体１６に対して３６０度位置に変化させた際の両筐体１４，１６間の衝突音等が隙間を塞いだバンパー部材２２（及び２４）によって吸収され、外部への音漏れが抑制される。しかも、ディスプレイ筐体１４と本体筐体１６とがバンパー部材２２（及び２４）を介して当接した状態となるため、タブレットモードでの使用時や持ち運び時等のがたつきや騒音の発生が抑制される。
【００５０】
また、当該電子機器１０では、本体筐体１６のバンパー部材２４は、前、左側、右側の３辺の外側面１７から連続するように表面方向にも突出することで該外側面１７を覆うものであり、ディスプレイ筐体１４のバンパー部材２２は、前、左側、右側の３辺の外側面１５から連続するように表面方向にも突出することで該外側面１５を覆うものである。そして、０度位置では、ディスプレイ筐体１４の表面１４ｅ側のバンパー部材２２が、本体筐体の１６表面１６ｅ側のバンパー部材２４又は本体筐体１６の表面１６ｅに当接する。
【００５１】
従って、電子機器１０を０度位置にした際、ディスプレイ筐体１４と本体筐体１６との間の隙間が、少なくとも前辺、右側辺及び左側辺の３辺の外周縁部に亘って設けられたバンパー部材２２（及び２４）の突出部２２ｂ（及び２４ｂ）によって閉塞される。その結果、ディスプレイ筐体１４を本体筐体１６に対して０度位置に閉じた際の両筐体１４，１６間の衝突音等が隙間を塞いだバンパー部材２２（及び２４）によって吸収され、外部への音漏れが抑制される。しかも、ディスプレイ筐体１４と本体筐体１６とはバンパー部材２２（及び２４）のみで当接した状態となるため、収納形態での机上への載置時や持ち運び時等のがたつきの発生が抑制される。
【００５２】
なお、バンパー部材２２，２４は、少なくとも裏面１４ｆ，１６ｆ側への突出部２２ｂ，２４ｂを有していれば３６０度位置での音漏れやがたつきを防止できるため、表面１４ｅ，１６ｅ側への突出部２２ａ，２４ａは省略してもよい。すなわち、収納形態と異なり、タブレットモードは電子機器１０を把持して使用するためがたつきや騒音への対応が重要であり、またタブレットモードに変化させる際の衝撃音の音漏れは、当該電子機器１０の使用開始時に或いは使用時に生じるものであるから、製品品質への影響が大きいため可能な限り抑制することが望まれるためである。
【００５３】
なお、本発明は、上記した実施形態に限定されるものではなく、本発明の主旨を逸脱しない範囲で自由に変更できることは勿論である。
【符号の説明】
【００５４】
１０  電子機器
１２  ヒンジ
１４  ディスプレイ筐体
１４ａ，１６ａ  連結端部
１４ｂ，１６ｂ  開放端部
１４ｃ，１６ｃ  左側端部
１４ｄ，１６ｄ  右側端部
１４ｅ，１６ｅ  表面
１４ｆ，１６ｆ  裏面
１５，１７  外側面
１６  本体筐体
１８，２０  ディスプレイ
２２，２４  バンパー部材
２６  脚部材 
【図１】
0006023228.tif 000002
【図２】
0006023228.tif 000003
【図３】
0006023228.tif 000004
【図４】
0006023228.tif 000005
【図５】
0006023228.tif 000006
【図６】
0006023228.tif 000007
【図７】
0006023228.tif 000008
【図８】
0006023228.tif 000009
【図９】
0006023228.tif 000010
【図１０】
0006023228.tif 000011
【図１１】
0006023228.tif 000012
【図１２】
0006023228.tif 000013
【図１３】
0006023228.tif 000014
【図１４】
0006023228.tif 000015
【図１５】
0006023228.tif 000016